(57)【要約】      （修正有）【課題】１枚ものでありながら、例えば表面をハンカチーフ、裏面をワイピングクロスといった具合に、相互に異なる２つの機能を表と裏で使い分けることができるハンカチーフを提供することを目的とする。【解決手段】１枚ものの基布の表側に、第一柄糸２である綿糸によるパイル地を形成する一方、裏側には第二柄糸３である極細糸によるパイル地を形成した。【選択図】図１
2014031596.tif 000002
【特許請求の範囲】
【請求項１】
ウエール方向に並列して延びる合成繊維よりなる鎖編目列に対して、コース方向に１列又は複数列離れた鎖編目列との間にわたり、合成繊維よりなる緯挿入糸がジグザグ状に折り返し挿入されて経編基布が編成されるとともに、この基布の各編目列に表裏にそれぞれパイルを形成する種類の異なる２本の柄糸が引き揃えて横振り状に編み込まれ、該２本の柄糸のうち表パイルを形成する第一柄糸は隣接編目列の編目を通ることなく該隣接編目列と該隣接編目列の先隣の編目列との中間に達する長さの表パイルを形成する一方、該表パイルの半分の長さとなる裏パイルを形成する第２柄糸は隣接編目列の編目を通って該編目に編み止めされるとともに、該編み止めされた編目から、該編目の編目列と該編目列の先隣の編目列との中間に達する長さの裏パイルを形成してなり、前記第一柄糸に綿糸が用いられ、前記第二柄糸に極細糸が用いられたことを特徴とするハンカチーフ。
【請求項２】
請求項１に記載のハンカチーフであって、
前記基布は、ポリエステル繊維糸又はナイロン繊維糸から編成されてなるハンカチーフ。
【請求項３】
請求項１又は２に記載のハンカチーフであって、
前記極細糸は、極細繊維発生型繊維からなるハンカチーフ。
【発明の詳細な説明】
【技術分野】
【０００１】
本発明は、ハンカチーフに係り、特に、眼鏡のレンズや携帯端末の画面などに付着した汚れの拭き取りに好適なワイピングクロスも兼ねたハンカチーフに関する。
【背景技術】
【０００２】
これまで、ワイピングクロスの機能も有するハンカチーフが種々提案されている。例えば、特許文献１には、表面に所望模様を施した表生地を絹地とし、その裏面に極細のポリエステル繊維を編み込んで成る裏生地を重ね合わせ、それら絹地と裏生地との周縁部を縫製して成るファッション性と実用性とを有する眼鏡拭き兼用ハンカチーフが提案されている。このハンカチーフによれば、表面に所望模様をプリントした表生地を絹地としたので、そのファッション性が損なわれず、ポケットチーフとしての機能を有する。また、表生地の裏面に、裏生地として１枚の極細のポリエステル繊維を編み込んでなる裏生地を重ね合わせたものであるから、眼鏡拭きとしての効果を充分に発揮でき、ポケット・ハンカチーフとすれば、一々眼鏡ケースから取り出す煩雑な手間が不要となり、極めて便利である、とされている。
【０００３】
また、特許文献２には、合成繊維極細仮撚り捲縮マルチフィラメント糸と天然繊維との交織からなるワイピングクロスが提案されている。このワイピングクロスによれば、吸水性のあるハンカチーフの機能と、効率よく眼鏡のレンズの曇りをとることのできる眼鏡拭きの両方の機能を同時に併せ持ち、眼鏡を拭くのにハンカチーフで不便と感じる眼鏡着用者にとって便利なものとされている。
【先行技術文献】
【特許文献】
【０００４】
【特許文献１】実用新案登録第３０６０４５７号公報
【特許文献２】特開２００１−１４６６５７号公報
【発明の概要】
【発明が解決しようとする課題】
【０００５】
特許文献１に開示された眼鏡拭き兼用ハンカチーフにあっては、例えば濡れた手を拭いたり顔の汗を拭いたりする場合には、表側の絹地のハンカチーフを使用し、眼鏡のレンズ等を拭く場合には、裏側の眼鏡拭きを使用するといったように、用途に応じて表裏を使い分けするものであるため、使用時に表裏を間違えない限り、汗を吸収したハンカチーフで眼鏡のレンズを拭いてしまい眼鏡のレンズに汗が付着するといた不具合は起きない。しかしながら、製作に際しては、異なる種類の表地と裏地とを別々に用意しておく必要があるとともに、これら表地と裏地とを一体化するための縫製作業を行う必要があるため、製作が煩雑となり、またその分製作コストが嵩むといった不都合があった。
【０００６】
一方、特許文献２に開示されたワイピングクロスにあっては、特許文献１のような、種類の異なる表地と裏地とからなる、いわゆる２枚ものではなく、２種類の糸を交織してなる、いわゆる１枚ものであるから、上記したような特許文献１のハンカチーフとは異なり、縫製作業が不要となる分製作が容易であり、製作コストを抑えることができる。しかしながら、１枚ものであるため、当然のことながら、濡れた手を拭いたり顔の汗を拭いたりした面で眼鏡のレンズを拭くことになる場合もあり、眼鏡のレンズの拭き取り時に、繊維に付着している汗がレンズに移る虞があった。また、眼鏡のレンズや携帯端末の画面などに付着した汚れを拭き取った後に、汚れを拭き取った面と同じ面で顔の汗を拭いたりすることは、衛生面で問題があった。
【０００７】
本発明は、係る点に鑑みて創案されたものであり、その目的とするところは、いわゆる１枚ものでありながら、例えば表面をハンカチーフ、裏面をワイピングクロスといった具合に、相互に異なる２つの機能を表と裏で使い分けることができるハンカチーフを提供することを目的とする。
【課題を解決するための手段】
【０００８】
上記した目的を達成するため、本発明に係るハンカチーフは、ウエール方向に並列して延びる合成繊維よりなる鎖編目列に対して、コース方向に１列又は複数列離れた鎖編目列との間にわたり、合成繊維よりなる緯挿入糸がジグザグ状に折り返し挿入されて経編基布が編成されるとともに、この基布の各編目列に表裏にそれぞれパイルを形成する種類の異なる２本の柄糸が引き揃えて横振り状に編み込まれ、該２本の柄糸のうち表パイルを形成する第一柄糸は隣接編目列の編目を通ることなく該隣接編目列と該隣接編目列の先隣の編目列との中間に達する長さの表パイルを形成する一方、該表パイルの半分の長さとなる裏パイルを形成する第２柄糸は隣接編目列の編目を通って該編目に編み止めされるとともに、該編み止めされた編目から、該編目の編目列と該編目列の先隣の編目列との中間に達する長さの裏パイルを形成してなり、前記第一柄糸に綿糸が用いられ、前記第二柄糸に極細糸が用いられたことを特徴とするものである。
【０００９】
このような特定事項によれば、基布の表側に綿糸によるパイル地が形成される一方、基布の裏側には極細糸によるパイル地が形成されるので、１枚ものでありながら、表面を、手を拭いたり顔の汗を拭ったりするハンカチーフ、また裏面を、眼鏡のレンズや携帯端末の表示画面の汚れを拭き取ったりするワイピングクロスといった具合に、相互に異なる２つの機能を１枚の布の表と裏で使い分けることができる。
【００１０】
しかも、基布の各編目列に表裏にそれぞれパイルを形成する種類の異なる２本の柄糸が引き揃えて横振り状に編み込まれるものであるから、種類の異なる表パイルと裏パイルとを、例えば経編機で一度に編成することができ、したがって、製作が容易であり、その分製作コストを低く抑えることができる。それと同時に、表パイルと裏パイルとが表裏に分かれて形成されるため、適度な厚みと柔らかい肌触りを実現することができる。
【００１１】
さらに、表パイルは、綿糸が用いられ、隣接編目列の編目を通ることなく該隣接編目列と該隣接編目列の先隣の編目列との中間に達する長さとされているため、肌触りに優れているとともに、高い吸水性を発揮することができる。
【００１２】
また、裏パイルは、極細糸が用いられているため、例えば、眼鏡のレンズや携帯端末の表示画面などに付着した汚れを効率的に拭き取ることができる。しかも、その長さが表パイルの半分の長さとされているため、編成後に起毛処理を行う際、裏パイルを構成する第二柄糸が極細糸であるにも拘らず、裏パイルが切れてしまう虞がない。
【００１３】
上記のハンカチーフにあっては、基布は、ポリエステル繊維糸又はナイロン繊維糸から編成されていてもよい。
【００１４】
この場合、より安価に製作することができ、さらなるコストダウンを図ることができる。
【００１５】
また、上記のハンカチーフにあっては、前記極細糸は、極細繊維発生型繊維からなるものであってもよい。
【００１６】
極細繊維発生型繊維としては、溶剤溶解性の異なる２成分の熱可塑性樹脂を海成分・島成分とし、海成分を溶剤などを用いて溶解除去することによって島成分を極細繊維とする海島型複合繊維、或いは、２成分の熱可塑性樹脂を繊維断面を放射状または多層状に交互に配置し、各成分を剥離分割することによって極細繊維に割繊する剥離型複合繊維などを採用することができる。なかでも、海島型複合繊維は、海成分を除去することによって島成分間、すなわち繊維束の内部の極細繊維間に適度な空隙を付与することができるので、裏パイルの品位やタッチ、柔軟性、風合いをより向上させることができる。
【発明の効果】
【００１７】
本発明によれば、いわゆる１枚ものでありながら、例えば表面をハンカチーフ、裏面をワイピングクロスといった具合に、相互に異なる２つの機能を表と裏で使い分けることができるハンカチーフを提供することができる。
【図面の簡単な説明】
【００１８】
【図１】図１は、本発明に係るハンカチーフの一実施形態を示し、（ａ）は上から視た部分組織図、（ｂ）は正面から視た部分見た部分組織図、（ｃ）は側面から視た部分組織図である。
【図２】図２は、図１に示すハンカチーフにおける緯挿入糸を示す部分組織図である。
【図３】図３は、図１に示すハンカチーフにおける第一柄糸を示す部分組織図である。
【図４】図４は、図１に示すハンカチーフにおける第二柄糸を示す部分組織図である。
【図５】図５は、図１に示すハンカチーフの組織分解図である。
【発明を実施するための形態】
【００１９】
以下、本発明に係るハンカチーフの一実施形態について、図面を参照して説明する。
【００２０】
図１〜図５に本発明の一実施形態を示す。図１（ａ）はハンカチーフを上から視た部分組織図、同図（ｂ）は正面から視た部分組織図、同図（ｃ）は側面から視た部分組織図、図２は緯挿入糸を示す部分組織図、図３は第一柄糸を示す部分組織図、図４は第二柄糸を示す部分組織図、図５は組織分解図である。
【００２１】
このハンカチーフは、１枚ものの基布の表側に、第一柄糸２である綿糸によるパイル地が形成される一方、裏側には第二柄糸３である極細糸によるパイル地が形成されたものである。したがって、１枚ものでありながら、表面を、手を拭いたり顔の汗を拭ったりするハンカチーフ、また裏面を、眼鏡のレンズや携帯端末の表示画面の汚れを拭き取ったりするワイピングクロスといった具合に、相互に異なる２つの機能を１枚の布の表と裏で使い分けることができるものとなっている。
【００２２】
具体的には、図１及び図２に示すように、ウエール方向に並列して延びる合成繊維よりなる鎖編目列４に対して、コース方向に１列離れた鎖編目列４との間にわたり、合成繊維よりなる緯挿入糸５がジグザグ状に折り返し挿入されて編成された経編基布がベースとされている。
【００２３】
上記鎖編目列４を構成する地糸４１並びに上記緯挿入糸５としては、例えば、ポリエステル繊維糸又はナイロン繊維糸を採用することができる。この場合、より安価に製作することができ、さらなるコストダウンを図ることができる。
【００２４】
上記基布１には、図１に示すように、その各鎖編目列４に表裏にそれぞれパイル６，７を形成する種類の異なる上記２本の柄糸２，３が引き揃えて横振り状に編み込まれている。
【００２５】
これら２本の柄糸２，３のうち、第一柄糸２は、図１及び図３に示すように、隣接編目列の編目を通ることなく該隣接編目列と該隣接編目列の先隣の編目列との中間（図１（ａ）及び同図（ｂ）において一点鎖線で示す）に達する長さの表パイル６を形成している。この第一柄糸２は、綿糸であり、例えば１６番単糸〜８０番双糸のものが好適に採用できる。なお、第一柄糸２は、これに限らず、例えば、レーヨン糸、ウール糸、絹糸、麻糸、その他の天然糸であってもよい。
【００２６】
このように、表パイル６には綿糸が用いられ、隣接編目列の編目を通ることなく該隣接編目列と該隣接編目列の先隣の編目列との中間に達する長さとされているため、肌触りに優れているとともに、高い吸水性を発揮することができる。
【００２７】
上記第二柄糸３は、図１及び図４に示すように、上記表パイル６の半分の長さとなる裏パイル７を形成している。すなわち、第二柄糸３は隣接編目列の編目を通って該編目に編み止めされるとともに、該編み止めされた編目から、該編目の編目列と該編目列の先隣の編目列との中間（図１（ａ）及び同図（ｂ）において一点鎖線で示す）に達する長さの裏パイルを形成している。この第二柄糸３は、極細糸である。
【００２８】
ここで、上記極細糸には、例えば、極細繊維発生型繊維が好適に採用できる。この極細繊維発生型繊維としては、溶剤溶解性の異なる２成分の熱可塑性樹脂を海成分・島成分とし、海成分を溶剤などを用いて溶解除去することによって島成分を極細繊維とする海島型複合繊維や、２成分の熱可塑性樹脂を繊維断面を放射状または多層状に交互に配置し、各成分を剥離分割することによって極細繊維に割繊する剥離型複合繊維などを採用することができる。なかでも、海島型複合繊維は、海成分を除去することによって島成分間、すなわち繊維束の内部の極細繊維間に適度な空隙を付与することができるので、裏パイルの品位やタッチ、柔軟性、風合いをより向上させることができる。
【００２９】
上記海島型複合繊維には、海島型複合用口金を用い、海・島の２成分を相互配列して紡糸する高分子相互配列体方式と、海・島の２成分を混合して紡糸する混合紡糸方式などを用いることができるが、均一な繊度の極細繊維が得られる点で高分子相互配列体方式による海島型複合繊維がより好ましい。
【００３０】
海島型複合繊維の海成分としては、ポリエチレン、ポリプロピレン、ポリスチレン、ナトリウムスルホイソフタル酸やポリエチレングリコールなどを共重合した共重合ポリエステル、ポリ乳酸などを用いることができる。島成分は、パイル部となるものであり、例えば、ポリエチレンテレフタレート、ポリトリメチレンテレフタレート、ポリブチレンテレフタレート、ポリ乳酸等のポリエステル、６−ナイロン、６６−ナイロン等のポリアミド、アクリル等が挙げられ、これらを単独でも複数併用してもよい。
【００３１】
一方、上記剥離型複合繊維としては、例えば、ポリエチレンテレフタレート等のポリエステルと６−ナイロン等のポリアミドからなるものが挙げられる。
【００３２】
以上説明したように、上記のハンカチーフは、基布の各編目列に表裏にそれぞれパイルを形成する種類の異なる２本の柄糸２，３が引き揃えて横振り状に編み込まれるものであるから、種類の異なる表パイル６と裏パイル７とを、例えば、汎用の経編機で一度に編成することができるものである。したがって、このハンカチーフは、製作が容易であり、その分製作コストを低く抑えることができるものである。それと同時に、表パイル６と裏パイル７とが表裏に分かれて形成されるため、適度な厚みと柔らかい肌触りを実現することができる。
【００３３】
さらに、裏パイル７は、上記したように、その長さが表パイル６の半分の長さとされているため、編成後に起毛処理を行う際、裏パイル７を構成する第二柄糸３が極細糸であるにも拘らず、裏パイルが切れてしまう虞がない。
【００３４】
なお、表パイル６及び裏パイル７の形成には、従来周知のパイル用のラウンドヘッドニードルを用いればよく、また、各起毛処理は、従来周知の、例えば金属製ブラシを用いればよい。
【符号の説明】
【００３５】
１  基布
２  第一柄糸
３  第二柄糸
４  鎖編目列
５  緯挿入糸
６  表パイル
７  裏パイル
【図１】
2014031596.tif 000003
【図２】
2014031596.tif 000004
【図３】
2014031596.tif 000005
【図４】
2014031596.tif 000006
【図５】
2014031596.tif 000007